(57)【要約】【課題】製造コストが安くて、確実かつ安定してホース類等を締め付け固定することが可能で、しかも、容易かつ迅速に締め付けを解除することができるホース類締付具を提供する。【解決手段】ホース類の締付け位置の外周部にセットされて、その先端部が基端部の外側に重ねられた状態で周方向に相互に摺動可能な締付けバンドと、該締付けバンドの基端部に一体的に取り付けられたハウジングと、該ハウジング内に収容されると共に、上記締付けバンドの先端部に適宜間隔で多数形成された係止溝に係止する爪を下面に突設した係止駒と、係止駒を締め付けバンド方向に付勢する板ばね等の弾性手段と、から成るホース類締付具において、上記係止駒の爪を上記締付けバンドの係止溝から解除する係止解除手段を設ける。【選択図】        図１
2006112531.tif 000002
【特許請求の範囲】
【請求項１】
ホース類の締付け位置の外周部にセットされて、その先端部が基端部の外側に重ねられた状態で周方向に相互に摺動可能な締付けバンドと、該締付けバンドの基端部に一体的に取り付けられたハウジングと、該ハウジング内に収容されると共に、上記締付けバンドの先端部に適宜間隔で多数形成された係止溝に係止する爪を下面に突設した係止駒と、係止駒を締め付けバンド方向に付勢する板ばね等の弾性手段と、から成るホース類締付具において、上記係止駒の爪を上記締付けバンドの係止溝から解除する係止解除手段を設けたことを特徴とするホース類締付具。
【請求項２】
上記係止解除手段が、上記ハウジングの両端部に開設した係止解除用穴であることを特徴とする請求項１に記載のホース類締付具。
【請求項３】
上記係止解除手段が、上記係止駒の両側部に突設した係止解除用ピンと、上記ハウジングの両側部に開設され、上記係止解除用ピンを外部に臨ませる長穴であることを特徴とする請求項１に記載のホース類締付具。
【発明の詳細な説明】
【技術分野】
【０００１】
本発明は、例えば、自動車用エンジン等においてホース類を取り付けるための、ホース類締付具に関する。
【背景技術】
【０００２】
従来のこの種のホース類締付具としては、図６に示すように、ホース類の端部周囲に装着する締付バンドBと、該締付バンドBの基端外側に取り付けたハウジングHと、該ハウジングH内に回転自在に取付られると共に、上記締付バンドBの先端側に形成された係止溝ｂに噛合うウォームねじWから構成されるものがあった。
上記従来のホース類締付具は、
１）高価なウォームねじWを使用しなければならない。
２）ウォームねじWをハウジングH内に高精度に取付けなければならない。
３）締付バンドBの係止溝bを高精度に形成しなければならない。
４）全体として高価となる。
等の問題点があった。
【０００３】
そこで、本発明者は、ホース類の締付け位置の外周部にセットされてその先端部が基端部の外側に重ねられた状態で周方向に相互に摺動可能な締付けバンドと、該締付けバンドの基端部に一体的に取り付けられたハウジングと、該ハウジング内に収容されると共に、上記締付けバンドの先端部に適宜間隔で多数形成された係止溝に係止する爪を下面に突設した係止駒から構成され、上記ハウジング内には、係止駒を締め付けバンド方向に付勢する板ばねを設けて、上記爪と係止溝との係止状態を確実にすることができるホース類締付具を開発した。
しかしながら、この締付具には、締め付けを解除するための手段がなくて実用的でなく、その開発が望まれていた。また、この締付具を自動車工場などにおける量産に適した部品として採用するには、適当な締め付け工具の開発が要請されていた。
【特許文献１】特開平８−２７０８５６号公報
【発明の開示】
【発明が解決しようとする課題】
【０００４】
本発明は、製造コストが安くて、確実かつ安定してホース類等を締め付け固定することが可能で、しかも、容易かつ迅速に締め付けを解除することができるホース類締付具を提供することを課題とする。
【課題を解決するための手段】
【０００５】
上記課題を解決するため、本発明のホース類締付具は、ホース類の締付け位置の外周部にセットされて、その先端部が基端部の外側に重ねられた状態で周方向に相互に摺動可能な締付けバンドと、該締付けバンドの基端部に一体的に取り付けられたハウジングと、該ハウジング内に収容されると共に、上記締付けバンドの先端部に適宜間隔で多数形成された係止溝に係止する爪を下面に突設した係止駒と、係止駒を締め付けバンド方向に付勢する板ばね等の弾性手段と、から成るホース類締付具において、上記係止駒の爪を上記締付けバンドの係止溝から解除する係止解除手段を設けたことを特徴とする。また、上記係止解除手段が、上記ハウジングの両端部に開設した係止解除用穴であることを特徴とする。さらに、上記係止解除手段が、上記係止駒の両側部に突設した係止解除用ピンと、上記ハウジングの両側部に開設され、上記係止解除用ピンを外部に臨ませる長穴であることを特徴とする。
【発明の効果】
【０００６】
本発明は、次のような作用効果を有する。
１）製造コストが安くて、確実かつ安定してホース類等を締め付け固定することができる。
２）容易かつ迅速に締め付けを解除することができる。
【発明を実施するための最良の形態】
【０００７】
以下、本発明の一実施例について図面を参照しながら説明する。図１において、１は金属製の締付けバンドであって、その先端部１a側が基端部１b側の外側に重ねられた状態で円環状に形成されており、両端部１a、１bは長手方向すなわち周方向に相互に摺動可能になっている。該締付けバンド１の上記先端部１aには、図１（B）に示すように、その長手方向に沿って複数の係止溝１a′が適宜間隔で形成されている。該係止溝１a′は鋸歯状に形成してもよい。
【０００８】
図１（C）からも明らかなように、上記締付けバンド１の基端部１bの外側にはハウジング２が取り付けられている。該ハウジング２は、図２（A）（B）（Ｃ）に示すような構造を有するハウジング本体２aと、図２（D）に示す蓋体２bから構成されている。本実施例では、上記締付けバンド１の基端部１bを折り返して、上記ハウジング本体２aの底板２a′を挟み付けると共に溶接して一体化している。
【０００９】
図１（C）に示すように、上記ハウジング２内には係止駒３が収容されていて、板ばね４により上記締付けバンド１の方向に弾性的に付勢されている。該係止駒３は、図３に示すように、下面には上記締付けバンド１の係止溝１a′に係止する爪３aが２個突設されていると共に、上面に上記板ばね４を収容するための凹部３bが形成されている。
【００１０】
図１（Ｃ）および図２（Ｂ）（Ｃ）から明らかなように、上記ハウジング本体２aの両端部には、係止解除用穴２ｃが開設されている。
【００１１】
本実施例のホース締付具は、以上のように構成されているので、図１（A）に矢印Xで示す方向に締付けバンド１の先端部１aを引くと、図１（C）に示すように、上記係止駒３の２つの爪３aのうち前方の爪３aが係止溝１a′に係止するか、あるいは図４に示すように、後方の爪３aが係止溝１a′に係止する。これらの爪３aの後側には傾斜面が形成されているので、締付けバンド１の先端部１aを更に引くと、係止状態にある爪３aは板ばね４に抗して上方に押し出される。上記２つの爪３aは交互に係止溝１a′内に入り込む。なお、２つの爪３aが係止溝１a′に同時に係合するように、該係止溝１a′のピッチを設定してもよい。
【００１２】
締付けバンド１の先端部１aをＸ方向に引く工具としては、例えば、該先端部１ａの掴み部材と、該掴み部材をＸ方向に引くためのエアー或いは電動等による駆動手段と、該引張力の反力を上記ハウジング２にとるための当設部材から構成し、締付けバンド１の先端部１aを掴み部材により把持させ、上記当設部材をハウジング２に当設させて反力をとりながら、上記駆動手段を稼動させて掴み部材すなわち先端部１ａをＸ方向に引くようにする。なお、上記駆動手段には、上記引張力すなわちバンド１の締付け力の上限を規制するための安全装置を設けることが望ましい。
【００１３】
上記締付けバンド１の締め付けを解除するには、上記ハウジング本体２aの両端部に開設されている係止解除用穴２ｃに、例えば、図１（Ｃ）に仮想線で示すように、マイナスドライバー等の工具Ｋを係止駒３の端部の下側に差し込んで、該係止駒３を持ち上げ、その爪３ａを上記締付けバンド１の係止溝１ａ′から離脱せしめて、その係止状態を解除する。
【００１４】
図５は、本発明の係止解除手段の別の実施例を示すもので、上記係止駒３の両側部に係止解除用ピン３ｃを突設すると共に、ハウジング本体２ａの両側部に長穴２ｄを開設して、この長穴２ｄに上記係止解除用ピン３ｃを外部に臨ませ、外部から該係止解除用ピン３ｃを矢印方向に持ち上げて、爪３ａによる係止を解除するように構成する。
【図面の簡単な説明】
【００１５】
【図１】本発明のホース類締付具の一実施例を示す正面図（Ａ）、バンドの部分拡大図（Ｂ）および要部の拡大断面図（Ｃ）である。
【図２】図１のハウジングの構造説明図である。
【図３】係止駒の構造説明図である。
【図４】係止解除手段の別の実施例を示す説明図である。
【図５】係止解除手段の別の実施例を示す説明図である。
【図６】従来のバンド締付具の斜視図である。
【符号の説明】
【００１６】
１    締付けバンド
１ａ  先端部
１ａ′係止溝
１ｂ  基端部
２    ハウジング
２ａ  ハウジング本体
２ａ′底板
２ｂ  蓋板
２ｃ  係止解除用穴
３    係止駒
３ａ  爪
３ｂ  凹部
３ｃ  係止解除用ピン
４    板ばね
【図１】
2006112531.tif 000003
【図２】
2006112531.tif 000004
【図３】
2006112531.tif 000005
【図４】
2006112531.tif 000006
【図５】
2006112531.tif 000007
【図６】
2006112531.tif 000008